(57)【要約】【課題】本発明は配線作業が容易で、配線が繁雑になることなく配線することができる宅内への配線方法および宅内配線複合ケーブルを得るにある。【解決手段】住宅に保安器と光キャビネットを備えた複合キャビネットを取付ける複合キャビネット取付け工程と、この複合キャビネット取付け工程後に光幹線ケーブルの光クロージャからの光ケーブル引込み線を複合キャビネットの光キャビネットに接続し、メタル幹線ケーブルのメタルクロージャからのメタル引込み線を複合キャビネットの保安器に接続する引込み線接続工程と、住宅内に情報ボックスを設置する情報ボックス設置工程と、一端部が複合キャビネットの保安器と光キャビネットに接続され、他端部が情報ボックスの接続具とハブにメディアコンバーターを介して接続される両端部寄りの部位を除く部位が一体化されたメタルインドアケーブルと光インドアケーブルからなる複合ケーブルを用いた複合ケーブルの接続工程とで宅内への配線方法を構成している。【選択図】  図１
2004282870.tif 000002
【特許請求の範囲】
【請求項１】
住宅に保安器と光キャビネットを備えた複合キャビネットを取付ける複合キャビネット取付け工程と、この複合キャビネット取付け工程後に光幹線ケーブルの光クロージャからの光ケーブル引込み線を前記複合キャビネットの光キャビネットに接続するとともに、メタル幹線ケーブルのメタルクロージャからのメタル引込み線を前記複合キャビネットの保安器に接続する引込み線接続工程と、前記住宅内にハブと接続具が取付けられた情報ボックスを設置する情報ボックス設置工程と、一端部が前記複合キャビネットの保安器と光キャビネットに接続され、他端部が前記情報ボックスの接続具とハブにメディアコンバーターを介して接続される両端部寄りの部位を除く部位が一体化されたメタルインドアケーブルと光インドアケーブルからなる複合ケーブルを用いた複合ケーブルの接続工程とを含むことを特徴とする宅内への配線方法。
【請求項２】
一端部が複合キャビネットの保安器に接続され、他端部が情報ボックスの接続具に接続されるメタルインドアケーブルと、一端部が前記複合キャビネットの光キャビネットに接続され、他端部に取付けられたメディアコンバーターによって前記情報ボックスのハブに接続される光インドアケーブルと、この光インドアケーブルと前記メタルインドアケーブルの両端部を除く部位を一体化する一体化手段とからなることを特徴とする宅内配線複合ケーブル。
【発明の詳細な説明】
【０００１】
【発明の属する技術分野】
本発明は光幹線ケーブルの光クロージャ、メタル幹線ケーブルのメタルクロージャと住宅内に設置した情報ボックス間を接続する宅内への配線方法および宅内配線複合ケーブルに関する。
【０００２】
【従来の技術】
従来、光幹線ケーブルの光クロージャからの光ケーブル引込み線を光キャビネットに接続するとともに、光キャビネットと住宅内に設置された情報ボックスのメデイアコンバーターとを光インドアケーブルを用いて接続している。
また、メタル幹線ケーブルのメタルクロージャからのメタル引込み線を前記キャビネットとは別に設置された保安器に接続するとともに、保安器と前記情報ボックスの接続具とはメタルインドアケーブルを用いて接続している。
【０００３】
【発明が解決しようとする課題】
従来の配線方法では住宅に保安器と光キャビネットを別々に設置したり、光インドアケーブルとメタルインドアケーブルとを別々に接続し、保護パイプ等で光インドアケーブルとメタルインドアケーブルを保護しているため、この作業に手数がかかり、コスト高になるという欠点があるとともに、配線が繁雑になるという欠点があった。
【０００４】
本発明は以上のような従来の欠点に鑑み、配線作業が容易で、配線が繁雑になることなく配線することができる宅内への配線方法および宅内配線複合ケーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は住宅に保安器と光キャビネットを備えた複合キャビネットを取付ける複合キャビネット取付け工程と、この複合キャビネット取付け工程後に光幹線ケーブルの光クロージャからの光ケーブル引込み線を前記複合キャビネットの光キャビネットに接続するとともに、メタル幹線ケーブルのメタルクロージャからのメタル引込み線を前記複合キャビネットの保安器に接続する引込み線接続工程と、前記住宅内にハブと接続具が取付けられた情報ボックスを設置する情報ボックス設置工程と、一端部が前記複合キャビネットの保安器と光キャビネットに接続され、他端部が前記情報ボックスの接続具とハブにメディアコンバーターを介して接続される両端部寄りの部位を除く部位が一体化されたメタルインドアケーブルと光インドアケーブルからなる複合ケーブルを用いた複合ケーブルの接続工程とで宅内への配線方法を構成している。
【０００７】
本発明は一端部が複合キャビネットの保安器に接続され、他端部が情報ボックスの接続具に接続されるメタルインドアケーブルと、一端部が前記複合キャビネットの光キャビネットに接続され、他端部に取付けられたメディアコンバーターによって前記情報ボックスのハブに接続される光インドアケーブルと、この光インドアケーブルと前記メタルインドアケーブルの両端部を除く部位を一体化する一体化手段とで宅内配線複合ケーブルを構成している。
【０００８】
【発明の実施の形態】
以下、図面に示す実施の形態により、本発明を詳細に説明する。
【０００９】
図１ないし図９に示す本発明の第１の実施の形態において、１は住宅２の外壁面３等に図２に示すように、保安器４と光キャビネット５を備えた複合キャビネット６を取付ける複合キャビネット取付け工程で、この複合キャビネット取付け工程１で使用される前記複合キャビネット６は、前記保安器４と光キャビネット５のケース体を除く部位が１個の複合キャビネットケース体７内に設置されたものが使用される。
【００１０】
８は前記複合キャビネット取付け工程１後に、図３に示すように光幹線ケーブル９の光クロージャ１０からの光ケーブル引込み線１１を前記複合キャビネット６の光キャビネット５に接続するとともに、メタル幹線ケーブル１２のメタルクロージャ１３からのメタル引込み線１４を前記複合キャビネット６の保安器４に接続する引込み線接続工程で、この引込み線接続工程８の光ケーブル引込み線１１と光キャビネット５およびメタル引込み線１４と保安器５との接続は従来から一般に行なわれている方法で行なう。
【００１１】
１５は前記住宅２内に情報ボックス１６を設置する情報ボックス設置工程で、この情報ボックス設置工程１５で使用される情報ボックス１６はボックス１７内にハブ１８と接続具１９が取付けられたものである。
【００１２】
２０は一端部が前記複合キャビネット６の保安器４と光キャビネット５に接続され、他端部が前記情報ボックス１６の接続具１９とハブ１８に複合ケーブル２１を用いて接続する複合ケーブルの接続工程で、この複合ケーブルの接続工程２０で使用する複合ケーブル２１は図６ないし図８に示すように、一端部が前記複合キャビネット６の保安器４に接続され、他端部が情報ボックス１６の接続具１９に接続されるメタルインドアケーブル２２と、一端部が前記複合キャビネット６の光キャビネット５に接続され、他端部に取付けられたメディアコンバーター２３によって前記情報ボックス１６のハブ１８に接続される光インドアケーブル２４と、この光インドアケーブル２４と前記メタルインドアケーブル２２の両端部を除く部位を一体化する一体化手段２５とからなり、該一体化手段２５は本発明の実施の形態では光インドアケーブル２４のシース２４ａとメタルインドアケーブル２２のシース２２ａの一部が一体となるように成型されたものが使用されている。
【００１３】
２６は前記情報ボックス１６から室内に設置された情報コンセント２７、２７への室内配線工程で、この室内配線工程２６は従来から一般に行なわれている方法で行なう。
【００１４】
上記のような各工程による宅内への配線方法を用いることにより、従来、保安器４と光キャビネット５の取付けを別々に行なっていた作業が複合キャビネット６の取付け作業だけで済み、容易で楽に行なうことができる。
また、複合ケーブル２１を用いるため、接続作業が容易で、簡単に行なうことができるとともに、両端部を除く光インドアケーブル２４とメタルインドアケーブル２２とが一体になっているため、配線が繁雑になったりするのを効率よく阻止できる。
【００１５】
【発明の異なる実施の形態】
次に、図１０ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１０ないし図１３に示す本発明の第２の実施の形態において、前記本発明の第１の実施の形態と主に異なる点は、光インドアケーブル２４のシース２４ａとメタルインドアケーブル２２のシース２２ａとを接続片２８を介して一体化した一体化手段を用いた複合ケーブル２１Ａを使用した複合ケーブルの接続工程２０Ａを行なった点で、このような複合ケーブルの接続工程２０Ａを用いた宅内への配線方法を行なっても、前記本発明の第１の実施の形態と同様な作用効果が得られる。
【００１７】
図１４ないし図１７に示す本発明の第３の実施の形態において、前記本発明の第１の実施の形態と主に異なる点は、光インドアケーブル２４とメタルインドアケーブル２２の両端部を除く部位を一体化する一体化手段として、接着テープ２９を巻付け固定した複合ケーブル２１Ｂを用いた複合ケーブルの接続工程２０Ｂを行なった点で、このような複合ケーブルの接続工程２０Ｂを用いた宅内への配線方法を行なっても、前記本発明の第１の実施の形態と同様な作用効果が得られる。
【００１８】
【発明の効果】
以上の説明から明らかなように、本発明にあっては次に列挙する効果が得られる。
【００１９】
（１）住宅に保安器と光キャビネットを備えた複合キャビネットを取付ける複合キャビネット取付け工程と、この複合キャビネット取付け工程後に光幹線ケーブルの光クロージャからの光ケーブル引込み線を前記複合キャビネットの光キャビネットに接続するとともに、メタル幹線ケーブルのメタルクロージャからのメタル引込み線を前記複合キャビネットの保安器に接続する引込み線接続工程と、前記住宅内にハブと接続具が取付けられた情報ボックスを設置する情報ボックス設置工程と、一端部が前記複合キャビネットの保安器と光キャビネットに接続され、他端部が前記情報ボックスの接続具とハブにメディアコンバーターを介して接続される両端部寄りの部位を除く部位が一体化されたメタルインドアケーブルと光インドアケーブルからなる複合ケーブルを用いた複合ケーブルの接続工程とからなるので、従来のように保安器と光キャビネットとを別々に取付けることなく、保安器と光キャビネットを備えた複合キャビネットを取付けるだけで取付けることができる。
したがって、保安器と光キャビネットの取付け作業が容易で、楽に行なうことができる。
【００２０】
（２）前記（１）によって、両端部を除く部位が一体化された複合ケーブルを用いて、複合キャビネットと情報ボックスとを接続するので、従来のように光インドアケーブルとメタルインドアケーブルが別々のものと比べ、配線が繁雑にならず、きれいに配線することができる。
【００２１】
（３）前記（１）によって、他端部にメディアコンバーターが取付けられた光インドアケーブルを用いた複合ケーブルを使用しているので、光インドアケーブルと情報ボックスのハブとをメディアコンバーターで接続することができる。
したがって、容易に短時間に接続することができる。
【００２２】
（４）前記（１）によって、宅内への配線を容易に短時間に行なうことができるので、配線コストの低減を図ることができる。
【００２３】
（５）請求項２も前記（１）〜（４）と同様な効果が得られる。
【図面の簡単な説明】
【図１】本発明の第１の実施の形態の工程図。
【図２】本発明の第１の実施の形態の複合キャビネット取付け工程の説明図。
【図３】本発明の第１の実施の形態の引込み線接続工程の説明図。
【図４】本発明の第１の実施の形態の情報ボックス設置工程の説明図。
【図５】本発明の第１の実施の形態の複合ケーブルの接続工程の説明図。
【図６】本発明の第１の実施の形態の複合ケーブルの平面図。
【図７】本発明の第１の実施の形態の複合ケーブルの正面図。
【図８】図６の８−８線に沿う拡大端面断面図。
【図９】本発明の第１の実施の形態の室内配線工程の説明図。
【図１０】本発明の第２の実施の形態の工程図。
【図１１】本発明の第２の実施の形態の配線説明図。
【図１２】本発明の第２の実施の形態の複合ケーブルの平面図。
【図１３】図１２の１３−１３線に沿う拡大端面断面図。
【図１４】本発明の第３の実施の形態の工程図。
【図１５】本発明の第３の実施の形態の配線説明図。
【図１６】本発明の第３の実施の形態の複合ケーブルの平面図。
【図１７】図１６の１７−１７線に沿う拡大端面断面図。
【符号の説明】
１：複合キャビネット取付け工程、
２：住宅、              ３：外壁面、
４：保安器、            ５：光キャビネット、
６：複合キャビネット、
７：複合キャビネットケース体、
８：引込み線接続工程、  ９：光幹線ケーブル、
１０：光クロージャ、    １１：光ケーブル引込み線、
１２：メタル幹線ケーブル、
１３：メタルクロージャ、１４：メタル引込み線、
１５：情報ボックス設置工程、
１６：情報ボックス、    １７：ボックス、
１８：ハブ、            １９：接続具、
２０、２０Ａ、２０Ｂ：複合ケーブルの接続工程、
２１、２１Ａ、２１Ｂ：複合ケーブル、
２２：メタルインドアケーブル、
２３：メディアコンバーター、
２４：光インドアケーブル、
２５：一体化手段、      ２６：室内配線工程、
２７：情報コンセント、  ２８：接続片、
２９：接着テープ。
【図１】
2004282870.tif 000003
【図２】
2004282870.tif 000004
【図３】
2004282870.tif 000005
【図４】
2004282870.tif 000006
【図５】
2004282870.tif 000007
【図６】
2004282870.tif 000008
【図７】
2004282870.tif 000009
【図８】
2004282870.tif 000010
【図９】
2004282870.tif 000011
【図１０】
2004282870.tif 000012
【図１１】
2004282870.tif 000013
【図１２】
2004282870.tif 000014
【図１３】
2004282870.tif 000015
【図１４】
2004282870.tif 000016
【図１５】
2004282870.tif 000017
【図１６】
2004282870.tif 000018
【図１７】
2004282870.tif 000019